【手続補正書】
【提出日】平成28年4月6日(2016.4.6)
【手続補正１】
【補正対象書類名】明細書
【補正対象項目名】０００６
【補正方法】変更
【補正の内容】
【０００６】
なお、前記問題点を解決するため、クリップの重量を利用して摘み部を元端で折り曲げることにより、銜込型連結金具を着用者のボディーラインに対して平行に並んだ状態にすることもできるが、この場合には、クリップの重量を増やす必要があり、着用者に違和感を与えるという問題点があり、また、図２７の（ｂ）に示すように、着用者の姿勢によってワイシャツの生地１００が摘み部１０２を引き伸ばす方向に引っ張られると、これに伴って銜込型連結金具１０５が着用者のボディーラインに対して立ち上がる方向に回転する力が働き、銜込型連結金具１０５が着用者のボディーラインに対して垂直に立ち上がった状態となり、非常に邪魔になるという問題点もあった。
【手続補正２】
【補正対象書類名】明細書
【補正対象項目名】００２８
【補正方法】変更
【補正の内容】
【００２８】
挟持片２３は、薄板状に形成されており、円弧状に形成された先端側の先端がフラットに切り落とされている。よって、挟持片２３の挟持面２２は、前方へ向くようにフラット状に形成されたフラット部６８と、下方へ向くように平坦状に形成された平坦部６９とから構成される。また、挟持面２２の平坦部６９には、二列に並ぶ他方側挟持歯３６，３６が設けられている（図７及び図８参照）。なお、他方側挟持歯３６，３６のうちで前列に配置される他方側挟持歯３６は、連続する複数の歯先を有しおり、他方側挟持歯３６，３６のうちで後列に配置される他方側挟持歯３６は、間隔を空けて並べられた一対の歯先を有している。また、挟持片２３における挟持面２２の平坦部の裏側に位置する裏面は、上方へ向いており、両側へ僅かに湾曲したネイル状に形成されている（図８及び図９参照）。
【手続補正３】
【補正対象書類名】明細書
【補正対象項目名】００３０
【補正方法】変更
【補正の内容】
【００３０】
背板４０の前壁４１には、上面に一方側挟持体２の支持軸１２に回動可能に嵌る断面円弧状の軸受横溝部４２が形成されており、下面の中央位置に第一作動カム４３が形成されていると共に、下面の第一作業カム４３の両側位置に第二作動カム４４，４４が形成されている。また、背板４０の中板４５には、下面の中央位置に他方側挟持体３の突起部３０の外形に対応するように窪んだ嵌受部４６が形成されており、下面の嵌受部４６の両側位置に他方側挟持体３の突起部３０を挟んで両側に位置する横棒部２９の上面と密着する台座部４７が形成されている。また、背板４０の後壁４８には、下面に一方側挟持体２の後壁８の上面に対応する段溝部４９が形成されている。
【手続補正４】
【補正対象書類名】明細書
【補正対象項目名】００３３
【補正方法】変更
【補正の内容】
【００３３】
なお、他方側挟持体３の嵌合板２１は、一方側挟持体２の嵌合窓６に余裕を持って嵌まる外寸法となっている。そして、他方側挟持体３の嵌合板２１を一方側挟持体２の前方から支持軸１２の下に向かって通して一方側挟持体２の嵌合窓６内に嵌合板２１の底部２４を収めると、図１５の点線にて示すように、他方側挟持体３の横棒部２９の円弧状凸面３５が一方側挟持体２の円弧状凹面１５に接触して載った状態となり、他方側挟持体３の両起立部２８，２８の背面が一方側挟持体２の傾斜棚１３，１３の上面に間隙を有して載った状態となり、一方側挟持体２の挟持片１０と他方側挟持体３の挟持片２３とが対向した状態となって一方側挟持体２の一方側挟持歯１９と他方側挟持体３の他方側挟持歯３６とが噛み合った状態となる。この時、嵌合板２１の下面と一方側挟持体２の両側壁７，７及び後壁８の下面とは揃う寸法となっている。
【手続補正５】
【補正対象書類名】明細書
【補正対象項目名】００３４
【補正方法】変更
【補正の内容】
【００３４】
また、一方側挟持体２に他方側挟持体３を組み込んだ状態にて他方側挟持体３の後方から支持軸１２に操作体４の軸受横溝部４２を嵌め込んで操作体４を支持軸１２を中心として後方へ回転させると、図１５の実線にて示すように、第二作動カム４４のカム面５２先端部５４前面が他方側挟持体３の突起部３０上面に接触するようになっている。そして、この状態から更に操作体４を支持軸１２を中心として後方へ回転させると、突起部３０を有する横棒部２９が操作体４の第二作動カム４４の押圧によって弾性変形し、これにより、第二作動カム４４が突起部３０に形成された規制片３３を乗り越えた後、さらに、第一作動カム４３が突起部３０に形成されたカム溝３２を乗り越え、操作体４の前壁４１を他方側挟持体３の嵌合板２１内に押し込むことができるようになっている。
【手続補正６】
【補正対象書類名】明細書
【補正対象項目名】００３５
【補正方法】変更
【補正の内容】
【００３５】
さらに、一方側挟持体２に他方側挟持体３と操作体４とが組み込まれた状態において、操作体４を支持軸１２を中心として後方へ回転させると、図２０に示すように、第一作動カム４３のカム面５０先端部５１が他方側挟持体３の支持部３４に接触した状態となり、図２２に示すように、第二作動カム４４のカム面５２の先端部５４が他方側挟持体３の隆起部２５の上面に接触した状態となる。この時、一方側挟持体２の挟持片１０と他方側挟持体３の挟持片２３とが閉じて一方側挟持体２の一方側挟持歯１９と他方側挟持体３の他方側挟持歯３６とが前方から後方に向かって一方側挟持歯１９、他方側挟持歯３６、一方側挟持歯１９、他方側挟持歯３６の順番で並んで噛み合うようになっており、また、挟持片１０の挟持面９における後方を向く傾斜部１７と挟持片２３の挟持面２２における前方を向くフラット部６８とが、傾斜部１７の先端部を残して対向するように位置付けられる。これにより、挟持面９の傾斜部１７先端部が挟持面２２の平坦部６９の裏面から突出した状態となり、さらに、他方側挟持体３の挟持片２３の平坦部６９の裏面と一方側挟持体２の支持軸１２のアーチ状上面と操作体４の中板４５の上面とが略揃う寸法に設定されている。
【手続補正７】
【補正対象書類名】明細書
【補正対象項目名】００３６
【補正方法】変更
【補正の内容】
【００３６】
また、一方側挟持体２に他方側挟持体３と操作体４とが組み込まれた状態において、操作体４を支持軸１２を中心として前方へ回転させると、図１６に示すように、第一作動カム４３のカム面５０先端部５１が他方側挟持体３の突起部３０に形成されたカム溝３２に接触した状態となり、図１７に示すように、第二作動カム４４のカム面５２の規制溝５３に他方側挟持体３の突起部３０に形成された規制片３３下面が引っ掛かって操作体４の前方への回転が規制されるようになっており、これにより、他方側挟持体３から操作体４が外れないようになっている。
【手続補正８】
【補正対象書類名】明細書
【補正対象項目名】００３９
【補正方法】変更
【補正の内容】
【００３９】
図１５の点線にて示す他方側挟持体３のように、他方側挟持体３の嵌合板２１を一方側挟持体２の前方から支持軸１２の下に向かって通して一方側挟持体２の嵌合窓６に他方側挟持体３の嵌合板２１を嵌め込んで、他方側挟持体３の横棒部２９の円弧状凸面３５を一方側挟持体２の円弧状凹面１５に嵌め込んだ状態とした後、図１５の点線にて示す操作体４のように、他方側挟持体３の後方から支持軸１２に操作体４の軸受横溝部４２を嵌め入れて操作体４を支持軸１２を中心として後方へ回転させる。この時、第二作動カム４４のカム面５２の先端部５４前面が他方側挟持体３の突起部３０に形成された規制片３３上面に接触する。この状態から図１５の実線にて示す操作体４のように、操作体４を支持軸１２を中心として更に後方へ回転させると、第二作動カム４４のカム面５２先端部５４前面によって突起部３０が後方へ押され、これに伴って横棒部２９が後方へ向かって弾性変形する。これにより、操作体４の第一作動カム４３は軸受横溝部４２が他方側挟持体３の支持軸１２に嵌まった状態で他方側挟持体３の支持部３４と一方側挟持体２の支持軸１２との間に形成された空間に納まって、操作体４は一方側挟持体２と他方側挟持体３とに組み込まれる。
【手続補正９】
【補正対象書類名】明細書
【補正対象項目名】００４０
【補正方法】変更
【補正の内容】
【００４０】
なお、操作体４が組み込まれた後は操作体４を支持軸１２を中心として前方へ回転させたとしても、操作体４の第二作動カム４４の規制溝５３に他方側挟持体３の突起部３０に形成された規制片３３が引っ掛かるので外れることはない。
【手続補正１０】
【補正対象書類名】明細書
【補正対象項目名】００４２
【補正方法】変更
【補正の内容】
【００４２】
クリップ１が開いた状態においては、図１６に示すように、第一作動カム４３のカム面５０先端部５１と他方側挟持体３の突起部３０に形成されたカム溝３２とが、他方側挟持体３に対する操作体４の回転中心と一方側挟持体２に対する他方側挟持体３の回転中心とを結んだ線より上方に位置付けられ、かつ、第一作動カム４３のカム面５０先端部５１が他方側挟持体３の突起部３０に形成されたカム溝３２を後方へ押圧して他方側挟持体３の横棒部２９が後方へ僅かに弾性変形した状態となる。これにより、横棒部２９に生じる弾発力によって、操作体４には、他方側挟持体３に対する操作体４の回転中心を中心とする反時計回りの力が働き、また、他方側挟持体３には、一方側挟持体２に対する他方側挟持体３の回転中心を中心とする時計回りの力が働き、一方側挟持体２の挟持片１０と他方側挟持体３の挟持片２３とが開いて開放状態を維持する。
【手続補正１１】
【補正対象書類名】明細書
【補正対象項目名】００４３
【補正方法】変更
【補正の内容】
【００４３】
この時、図１８に示すように、操作体４の第二作動カム４４のカム面５２先端部５４が他方側挟持体３の横棒部２９前面に接触し、また、図１７に示すように、第二作動カム４４の規制溝５３が他方側挟持体３の規制片３３下面に接触するので、一方側挟持体２と他方側挟持体３と操作体４との組み込み状態が保持される。
【手続補正１２】
【補正対象書類名】明細書
【補正対象項目名】００４４
【補正方法】変更
【補正の内容】
【００４４】
次に、操作体４を支持軸１２を中心として僅かに後方へ回転させると、図１９に示すように、第一作動カム４３のカム面５０が回転中心と横棒部２９の中心である支点とを結んだ線上に位置したときに、第一作動カム４３のカム面５０先端部５１後面が他方側挟持体３の突起部３０に形成されたカム溝３２を乗り上げる。
【手続補正１３】
【補正対象書類名】明細書
【補正対象項目名】００４５
【補正方法】変更
【補正の内容】
【００４５】
そして、クリップ１が閉じた状態においては、図２０に示すように、第一作動カム４３のカム面５０先端部５１と他方側挟持体３の支持部３４とが、他方側挟持体３に対する操作体４の回転中心と一方側挟持体２に対する他方側挟持体３の回転中心とを結んだ線より下方に位置付けられ、かつ、第一作動カム４３のカム面５０先端部５１が他方側挟持体３の支持部３４を後方へ押圧して他方側挟持体３の横棒部２９が後方へ僅かに弾性変形した状態となる。これにより、横棒部２９に生じる弾発力によって、操作体４には、他方側挟持体３に対する操作体４の回転中心を中心とする時計回りの力が働く。また、図２２に示すように、第二作動カム４４のカム面５２先端部５４が他方側挟持体３の隆起部２５の上面に接触することにより、他方側挟持体３が一方側挟持体２に向かって押さえつけられた状態となり、一方側挟持体２の挟持片１０と他方側挟持体３の挟持片２３とが開くことはない。
【手続補正１４】
【補正対象書類名】明細書
【補正対象項目名】００４６
【補正方法】変更
【補正の内容】
【００４６】
この時、操作体４は両挟持体２，３に対して水平な状態となっており、図２１に示すように、操作体４の段溝部４９は一方側挟持体２の後壁８に嵌まり合った状態で段溝部４９の底面が後壁８の上面に接触し、他方側挟持体３の突起部３０は操作体４の中板４５下面の嵌受部４６に嵌まり合った状態で嵌受部４６の内表面が突起部３０の外表面に間隙を有して当接し、図２２に示すように、操作体４の中板４５の台座部４７，４７の下面は他方側挟持体３の横棒部２９の上面に間隙を有して当接し、他方側挟持体３の横棒部２９の円弧状凸面３５は一方側挟持体２の円弧状凹面１５に嵌り込み、他方側挟持体３の起立部２８の背面は一方側挟持体２の傾斜棚１３，１３の斜面に当接し、一方側挟持体２の挟持片１０における挟持面９の傾斜部１７が他方側挟持体３の挟持片２３におけるフラット部６８と対向するように位置付けられ、かつ、挟持片１０における挟持面９の傾斜部１７が挟持片２３における挟持面２２の平坦部６９の裏面よりも突出するように位置付けられる。
【手続補正１５】
【補正対象書類名】明細書
【補正対象項目名】００４８
【補正方法】変更
【補正の内容】
【００４８】
本実施の形態に係る情報表示札５５を着用状態のワイシャツに取り付ける場合には、先ず、図２４の（ａ）に示すように、ワイシャツの生地５７が着用者のボディーラインに沿って平坦に伸びた平坦部５８を摘んで該平坦部５８に対して垂直に立ち上がった摘み部５９を形成し、開いた状態のクリップ１における両挟持体２，３の挟持片１０，２３の間に摘み部５９を差し込む。次に、図２４の（ｂ）に示すように、クリップ１における操作体４を後方へ倒して両挟持体２，３の挟持片１０，２３を閉じ、両挟持体２，３の挟持片１０，２３によって摘み部５９を挟み込む。この時、挟持片１０における挟持面９の傾斜部１７と挟持片２３における挟持面２２のフラット部６８とが傾斜部１７の先端部を残した状態で対向して摘み部５９の元端側を挟み込み、また、挟持片１０における挟持面９の平坦部１８と挟持片２３における挟持面２２の平坦部６９とが略平行に位置付けられ、一方側挟持歯１９と他方側挟持歯３６と摘み部５９の先端側を噛み、これにより、両挟持体２，３の挟持片１０，２３によって摘み部５９がノコギリ歯状に折り曲げられて保持された状態となる。また、挟持片１０における挟持面９の傾斜部１７と挟持片２３における挟持面２２のフラット部６８とによって挟み込まれた摘み部５９の元端側が傾斜部１７の傾斜によって強制的に上方へ折り曲げられた状態となっているため、情報表示札５５から手を離すと、図２４の（ｃ）に示すように、情報表示札５５は、摘み部５９の元端側に生じる復元力と自重によってワイシャツに垂れ下がり、着用者のボディーラインに沿って平行に並んだ状態となる。なお、この状態において、ワイシャツの生地５７に対して摘み部５９を引き伸ばす方向へ力が働いたとしても、摘み部５９に対して上側に位置する生地５７が上方へ引っ張られる力が作用する挟持面９先端（図２４の（ｃ）中、矢印Ｘ１で示す部分）と摘み部５９に対して下側に位置する生地５７が下方へ引っ張られる力が作用する挟持面２２先端（図２４の（ｃ）中、矢印Ｘ２で示す部分）との位置関係を比べると、挟持面９先端が挟持面２２先端よりも着用者側に位置付けられるため、クリップ全体を時計方向に回転させる力が働くことになり、情報表示札５５が着用者のボディーラインに沿って平行に並んだ状態が維持される。
【手続補正１６】
【補正対象書類名】図面
【補正対象項目名】図８
【補正方法】変更
【補正の内容】
【図８】
2014206179.tif 000001
【手続補正１７】
【補正対象書類名】図面
【補正対象項目名】図９
【補正方法】変更
【補正の内容】
【図９】
2014206179.tif 000002